(57)【要約】  窓上の狭いスペースにも設置可能で、かつ、省エネの要請にも応え得る空気調和機の室内機を提供する。熱交換器（１４）を２つ、間隔を空けて長手方向に並べて配置し、２台の熱交換器（１４）の間に２台の熱交換器（１４）それぞれの冷媒管と外部からの冷媒連絡管（２４）とを接続する接続部（２５）が設けられている。２台の熱交換器（１４）に対応する２つの吹出し口（１７）の接続部（２５）側に、気流の吹き出し方向に突出する壁部（３２）が設けられ、壁部（３２）それぞれに、気流の吹出し方向に向かうにつれて互いに近づくように傾斜した案内面（３２ａ）が設けられている。
2019043980.tif 000002
【特許請求の範囲】
【請求項１】
間隔を空けて長手方向に並べて配置された２台の熱交換器と、
前記２台の熱交換器それぞれに対応して設けられた２つの空気の吹出し口とを備え、
前記２台の熱交換器の間に、当該２台の熱交換器それぞれの冷媒管と外部からの冷媒連絡管とを接続する接続部が設けられ、
前記２つの吹出し口それぞれより吹き出された２つの気流の合流位置が前記２つの吹出し口により近くなるように仕向ける合流促進構造を有することを特徴とする空気調和機の室内機。
【請求項２】
前記２つの吹出し口それぞれの前記接続部側に、気流の吹き出し方向に突出する壁部が設けられ、
前記合流促進構造として、前記壁部それぞれに、気流の吹出し方向に向かうにつれて互いに近づくように傾斜した案内面が設けられていることを特徴とする請求項１に記載の空気調和機の室内機。
【請求項３】
前記案内面それぞれの延長線の交点と、前記２台の熱交換器の風下側の面との距離が、６０ｍｍ以下であることを特徴とする請求項２に記載の空気調和機の室内機。
【請求項４】
前記案内面は、前記２台の熱交換器の内の対応する方の風下側の面との際より傾斜していることを特徴とする請求項２又は３に記載の空気調和機の室内機。
【請求項５】
前記合流促進構造として、
前記２台の熱交換器が互いに向き合う方向に傾斜を付けて配置されていることを特徴とする請求項１に記載の空気調和機の室内機。
【請求項６】
前記２台の熱交換器の傾斜の角度が、当該室内機の取り付け面に対して５°未満であることを特徴とする請求項５に記載の空気調和機の室内機。
【請求項７】
前記２台の熱交換器それぞれの下方に設けられた２つのドレンパンを備え、
前記２台の熱交換器の間に、前記２つのドレンパンにて受け取ったドレン水を機外へ排出するためのドレン排出管が接続されていることを特徴とする請求項１から６の何れか１項に記載の空気調和機の室内機。
【請求項８】
当該室内機を正面より見た場合の短手方向の寸法をｈ、長手方向の寸法をＷとすると、Ｗ≧４ｈの関係が成立することを特徴とする請求項１から７の何れか１項に記載の空気調和機の室内機。
【発明の詳細な説明】
【技術分野】
【０００１】
本発明は、空気調和機の室内機に関する。
【背景技術】
【０００２】
空気調和機の室内機は、送風ファンを回転させて吸込み口から吸い込んだ空気を熱交換器に吹き付け、吹出し口から吹き出すようになっている。熱交換器には、冷媒管が接続されており、冷媒管が冷媒連絡管と接続される。冷媒連絡管の他端は、空気調和機の室外機に接続されている。これにより、室内機と室外機との間で、冷媒を循環するための冷媒回路が構成される。【０００３】
また、特許文献１には、天井設置型の空気調和機の室内機において、熱交換器が筐体の２つの長辺に沿うように２つ配置された構成が開示されている。
【先行技術文献】
【特許文献】
【０００４】
【特許文献１】日本国特許第３９９８０３０号明細書
【発明の概要】
【発明が解決しようとする課題】
【０００５】
ところで、昨今、窓を大きく取りたいといった要請が強く、窓上のスペースは狭くなってきている。その上、室内機の設置場所としては、窓横ではなく窓上が望まれており、従来よりも高さ方向（短手方向）の寸法が小さい室内機の開発が急務となっている。【０００６】
しかしながら、左右方向（長手方向）の寸法を変えることなく高さ方向の寸法だけを小さくすると、熱交換器が小さくなってしまい熱交換に寄与する面積が小さくなる。その結果、極めて強い要請がある省エネと両立させることができなくなる。【０００７】
本発明の一態様は、上記問題点に鑑みなされたもので、窓上の狭いスペースにも設置可能で、かつ、省エネの要請にも応え得る空気調和機の室内機を提供することを目的としている。
【課題を解決するための手段】
【０００８】
上記の課題を解決するために、本発明の一態様に係る空気調和機の室内機は、間隔を空けて長手方向に並べて配置された２台の熱交換器と、前記２台の熱交換器それぞれに対応して設けられた２つの空気の吹出し口とを備え、前記２台の熱交換器の間に、当該２台の熱交換器それぞれの冷媒管と外部からの冷媒連絡管とを接続する接続部が設けられ、前記２つの吹出し口それぞれより吹き出された２つの気流の合流位置が前記２つの吹出し口により近くなるように仕向ける合流促進構造を有することを特徴とする。
【発明の効果】
【０００９】
本発明の一態様によれば、窓上の狭いスペースにも設置可能で、かつ、省エネの要請にも応え得る空気調和機の室内機を提供することができるといった効果を奏する。
【図面の簡単な説明】
【００１０】
【図１】本発明の実施の形態に係る空気調和機の室内機の外観を示す斜視図である。
【図２】上記室内機の縦断面図である。
【図３】上記室内機の正面図である。
【図４】図３のＡ−Ａ線矢視断面図である。
【図５】上記室内機における２台の熱交換器の冷媒管と外部からの冷媒連絡管とを接続する接続部の概略構成を示す正面図である。
【図６】上記室内機の斜視図である。
【図７】上記室内機における２つの吹出し口の間の構造を示す要部拡大図である。
【図８】空気の流れと渦の発生の関係を説明する図である。
【図９】上記室内機における案内面の有無による気流の流れの違いを示すイメージ図であり、（ａ）は案内面が有る場合、（ｂ）は案内面が無い場合を示す。
【図１０】本発明の実施の他の形態に係る空気調和機の室内機における２台の熱交換器の位置関係を示す平面図である。
【発明を実施するための形態】
【００１１】
〔実施の形態１〕
本発明の実施の形態を図面に基づいて以下に説明する。
【００１２】
（室内機１の構造）
図１は、本発明の実施の形態に係る空気調和機の室内機１の外観を示す斜視図である。図２は、上記室内機１の縦断面図である。図３は、上記室内機１の正面図である。図４は、図３のＡ−Ａ線矢視断面図である。なお、図３、図４では、導風板３を外した状態を示す。
【００１３】
図１に示すように、空気調和機の室内機１は、室内機本体部２の前面に導風板３を備えている。室内機１は、正面より見た場合の高さ方向（短手方向）の寸法をｈ、左右方向（長手方向）の寸法をＷとすると、Ｗ≧４ｈの関係が成立する。
【００１４】
図２に示すように、室内機本体部２は、上部に第１吸込み口１１を有し、下部に第２吸込み口１２を有し、内部に送風ファン１３および熱交換器１４を有し、前部に吹出し口１７を有している。
【００１５】
図３、図４に示すように、室内機１において熱交換器１４は、横に長い形状（長手形状、横長形状）を有し、間隔を空けて長手方向（室内機１の左右方向（長手方向）でもある）に並んで２つ配置されている。２台の熱交換器１４に合わせて、第１吸込み口１１、第２吸込み口１２、吹出し口１７も左右方向に２つずつ形成されている。
【００１６】
図２に示すように、第１吸込み口１１には第１フィルタ１５が配設され、第２吸込み口１２には第２フィルタ１６は配設されている。第１フィルタ１５は、例えばプレフィルタに相当する機能を有するフィルタであり、第２フィルタ１６よりも低性能である。第２フィルタ１６は、例えばＨＥＰＡフィルタ(High Efficiency Particulate Air Filter)であり、第１フィルタ１５よりも高性能である。
【００１７】
室内機１では、第１吸込み口１１から吸い込まれた空気は、第１フィルタ１５、送風ファン１３および熱交換器１４を経て吹出し口１７から吹き出される。また、第２吸込み口１２から吸い込まれた空気は、第２フィルタ１６、送風ファン１３および熱交換器１４を経て吹出し口１７から吹き出される。
【００１８】
第１吸込み口１１には、第１吸込み口１１を開閉する開閉蓋１８が設けられている。開閉蓋１８は、空調モードで運転する場合に開状態となる。また、開閉蓋１８は、空気調和機が停止状態である場合、および空気調和機が空気清浄モードで運転する場合に閉状態となる。なお、ここでは、開閉蓋１８は、２つの第１吸込み口１１に対して１つ設けられているが、２つの第１吸込み口１１に合わせて２つ設けられていてもよい。
【００１９】
空調モードは空気清浄機能よりも空気調和機能を優先する場合の空気調和機の運転モードである。空気清浄モードは、これとは逆に、空気調和機能よりも空気清浄機能を優先する場合の空気調和機の運転モードである。空調モードでは、空気は主として第１吸込み口１１から吸い込まれ、第１フィルタ１５を経た後、送風ファン１３により熱交換器１４へ吹き付けられ、吹出し口１７から吹き出される。一方、空気清浄モードでは、空気は第２吸込み口１２のみから吸い込まれ、第２フィルタ１６を経た後、送風ファン１３により熱交換器１４へ吹き付けられ、吹出し口１７から吹き出される。
【００２０】
導風板３は、冷房運転では、図１，図２に示すように、吹出し口１７から吹き出された空気（気流）が、斜め上が開放されるように配置され、暖房運転では、図示してはいないが、斜め下に向かうように導風板３が配置される。
【００２１】
図３、図４に示すように、熱交換器１４は、上述したように横に長い形状を有し、また、図２に示すように、２個の熱交換部品を上下に連結し、連結部が前方へ突出した形状（くの字形）である。
【００２２】
熱交換器１４の下方には、熱交換器１４で生じるドレン水を受けるドレンパン３４が配置されている。ドレンパン３４は、左右方向（長手方向）に長い皿状に形成される。２台の熱交換器１４に対応してドレンパン３４も２つ設けられている。２つのドレンパン３４は、室内機１の長手方向の中央部が低くなるように、傾斜して配置されている。
【００２３】
送風ファン１３は、例えばシロッコファンあるいはターボファンからなり、熱交換器１４の背面側に配置される。ここでは１台の熱交換器１４に付き２つ配置されている。なお、１台の熱交換器１４に対する送風ファン１３の数は２つに限るものではなく、１台でも３台以上でもよい。
【００２４】
（２台の熱交換器１４の間のスペースの利用）
図３、図４に示すように、２台の熱交換器１４は、間隔を空けて配置されている。そして、２台の熱交換器１４の間のスペースに、送風ファン１３を駆動するファンモータ２６、および冷媒管の接続部２５が設けられている。図３では、２つのファンモータ２６を配置しているが、１台のファンモータ２６で４つの送風ファン１３を駆動する構成としてもよい。
【００２５】
図５に示すように、接続部２５は、２台の熱交換器１４それぞれの冷媒管と外部からの冷媒連絡管２４とを接続する。図５は、２台の熱交換器１４の冷媒管と外部からの冷媒連絡管２４とを接続する接続部２５の概略構成を示す正面図である。接続部２５には、２つの分岐配管２３が設けられており、２つの分岐配管２３は、図示しない室外機から延びる往路用および復路用の冷媒連絡管２４と接続されている。分岐配管２３における分岐側が熱交換器１４の冷媒管と接続され、分岐配管２３における基端側が冷媒連絡管２４と接続される。
【００２６】
さらに、２台の熱交換器１４の間のスペースには、左右のドレンパン３４にて受けられたドレン水が集められるようになっており、ドレン水を機外へ排出するためのドレン排出管３５が接続されている。
【００２７】
（２つの吹出し口１７の間の構造）
図６は、上記室内機１の斜視図である。図６では、導風板３を外した状態を示す。図７は、上記室内機１における２つの吹出し口１７の間の構造を示す要部拡大図である。図６、図７に示すように、２つの吹出し口１７それぞれの接続部２５側には、気流の吹き出し方向に突出する壁部３２が設けられている。そして、壁部３２それぞれには、気流の吹出し方向に向かうにつれて互いに近づくように傾斜した案内面（合流促進構造）３２ａが設けられている。なお、図６、図７においては、分かりやすくするために案内面３２ａを太線で表している。傾斜した案内面３２ａは、２つの吹出し口１７それぞれより吹き出された２つの気流の合流位置が２つの吹出し口１７により近くなるように仕向けるものである。
【００２８】
ここでは、より好ましい構成として、案内面３２ａは、２台の熱交換器１４における風下側の面との際（境界部分）より傾斜している。さらに、より好ましい構成として、案内面３２ａそれぞれの延長線（図７中破線）の交点Ｐと２台の熱交換器１４の風下側の面との距離Ｌが６０ｍｍ以下となるように設けられている。
【００２９】
（室内機１の利点）
本実施の形態に係る空気調和機の室内機１においては、熱交換器１４が２つ、長手方向に間隔を空けて並べて配置されている。これにより、室内機１の高さ方向（短手方向）の寸法を小さくしたとしても、左右方向（長手方向）の寸法を大きくすることで熱交換に寄与する面積を確保し、省エネ性を改善することができる。しかも、熱交換器１４のサイズ自体を大型化する必要はないので、既存の生産装置を利用できる。
【００３０】
また、室内機１においては、２台の熱交換器１４それぞれの冷媒管と外部からの冷媒連絡管２４とを接続する接続部２５が２台の熱交換器１４の間に設けられているので、２台の熱交換器１４それぞれに均等に冷媒を供給でき、冷媒の流路も短くできる。
【００３１】
ところで、２台の熱交換器１４をこのように配置した場合、２つの吹出し口１７の間（接続部２５が設けられている２台の熱交換器１４の間）に位置する前面（正面）側は気流が通らないために空気の渦が発生し、空気が淀む。
【００３２】
図８は、空気の流れと渦の発生の関係を説明する図である。図８に示すように、流体（気流）が、直径Ｄ１の細い管から直径Ｄ２のより太い管へと流入した直径Ｄ１の流体は、太い管に入った後、徐々に広がって直径Ｄ２の流れとなる。その際、太い管における流体入口側には、流体が流れない部分があり、この部分に流体の渦が発生し、流体が淀む。
【００３３】
２つの吹出し口１７の間に位置する前面（正面）側で空気の渦が発生し、空気が淀むと、気流が通る部分との間で温度に差が生じ、室内機１の筐体や前面に配される導風板３の裏面等の構成部品に露が付く恐れがある。
【００３４】
そこで、室内機１は、２つの吹出し口１７それぞれより吹き出された２つの気流の合流位置が２つの吹出し口１７により近くなるように仕向ける合流促進構造を有している。室内機１においては、合流促進構造として、２つの吹出し口１７それぞれの接続部２５側における壁部３２に、気流の吹出し方向に向かうにつれて互いに近づくように傾斜した案内面（案内構造）３２ａを設けている。このような案内面３２ａを設けることで、２つの吹出し口１７の近くで合流し、渦が発生する気流が通らない空間を小さくできる。
【００３５】
図９は、室内機１における案内面３２ａの有無による気流の流れの違いを示すイメージ図であり、（ａ）は案内面３２ａが有る場合、（ｂ）は案内面３２ａが無い場合を示す。図中、参照符号３０は、室内機本体部２の筐体である。図９の（ａ）に示すように、案内面３２ａが有る場合、２つの吹出し口１７から吹き出された気流は、案内面３２ａに沿って進むことで２つの吹出し口１７に近い位置で合流する。これにより、渦の発生を抑制することができる。
【００３６】
一方、図９の（ｂ）に示すように、案内面３２ａが無い場合は、２つの吹出し口１７から吹き出された気流は、吹出し口１７より離れた位置で合流することとなり、壁部３２正面側に空気の渦が発生する。
【００３７】
なお、２つの吹出し口１７それぞれの接続部２５側とは反対側においても、吹出し方向に突出した壁部が有る場合、気流が流れない部分に渦が発生する。したがって、図９の（ａ）に示すように、２つの吹出し口１７それぞれの接続部２５側とは反対側の壁部にも案内面３２ａを形成することが好ましい。
【００３８】
また、室内機１においては、より好ましい構成として、案内面３２ａを２台の熱交換器１４における風下側の面との際（境界部分）より傾斜させている。これにより、熱交換器１４を通過した直後の気流を案内面３２ａにて案内することが可能となり、渦の発生を効果的に抑制して露を付き難くできる。
【００３９】
さらに、室内機１においては、より好ましい構成として、案内面３２ａそれぞれの延長線（図７中破線）の交点Ｐと２台の熱交換器１４の風下側の面との距離Ｌが６０ｍｍ以下となるように設けている。上記距離が６０ｍｍを超えると、渦の発生を効果的に抑制することが難しいが、６０ｍｍ以下とすることで、渦の発生を効果的に抑制して露を付き難くできる。
【００４０】
また、室内機１においては、２台の熱交換器１４に対応して２つのドレンパン３４を設け、２台の熱交換器１４の間に、ドレン排出管を接続している。これにより、室内機１の短手方向の寸法を小さく、かつ長手方向の寸法を大きくしたとしても、２つのドレンパン３４それぞれの傾斜を確保することができ、ドレン水を問題無く排出することができる。
【００４１】
〔実施の形態２〕
本発明の他の実施の形態を以下に説明する。なお、説明の便宜上、前記実施の形態１にて説明した部材と同じ機能を有する部材については、同じ符号を付記し、その説明を省略する。
【００４２】
実施の形態１においては、合流促進構造として、２つの吹出し口１７それぞれの接続部２５側における吹出し方向に突出した壁部３２に、気流の吹出し方向に向かうにつれて互いに近づくように傾斜した案内面（案内構造）３２ａを設けていた。
【００４３】
これに対し、本実施の形態における室内機１Ａにおいては、図１０に示すように、合流促進構造として、２台の熱交換器１４を互いに向き合う方向に傾斜を付けて配置している。図１０は、本発明の実施の他の形態に係る空気調和機の室内機１における２台の熱交換器１４の位置関係を示す平面図である。
【００４４】
図１０に示すように、２台の熱交換器１４が互いに向き合う方向に傾斜を付けて配置されている。これにより、２台の熱交換器１４に吹き付けられ、２つの吹出し口１７それぞれより吹き出された気流は、案内面３２ａが無くとも自ずと２つの吹出し口１７の近くで混じり合う。これにより、案内面３２ａと同様に、渦の発生を抑制し露を付き難くできる。
【００４５】
ここで、より好ましい構成として、２台の熱交換器１４の傾斜の角度θを、室内機１の取り付け面に対して５°未満としている。上記角度θを５°未満としているので、室内機１の長手方向に沿った送風可能領域を無駄に狭めることなく、渦の発生を抑制して露を付き難くできる。
【００４６】
なお、図１０においては、４つの送風ファン１３を室内機１の取り付け面と平行に配置しているが、４つの送風ファン１３をそれぞれ、対応する熱交換器１４の傾きに合わせて傾けて配置する構成としてもよい。その場合、送風ファン１３の送風方向と、対応する熱交換器１４の空気の通り抜ける方向とが揃うため、送風ファン１３から送り出された空気が熱交換器１４を通過する際に減少する損失をより小さくできる。
【００４７】
〔実施の形態３〕
本発明の他の実施の形態を以下に説明する。なお、説明の便宜上、前記実施の形態１にて説明した部材と同じ機能を有する部材については、同じ符号を付記し、その説明を省略する。
【００４８】
実施の形態３における室内機は、図示してはいないが、合流促進構造として、実施の形態１おける案内面３２ａと、実施の形態２における２台の熱交換器１４の傾斜した配置との両方を備えている。これにより、より一層効果的に、渦の発生を抑制して露を付き難くできる。
【００４９】
なお、上記実施の形態１〜３においては、側壁に設置される室内機を例示したが、天井に設置される室内機に適用することもできる。
【００５０】
〔まとめ〕
本発明の態様１に係る空気調和機の室内機１は、間隔を空けて長手方向に並べて配置された２台の熱交換器１４と、前記２台の熱交換器１４それぞれに対応して設けられた２つの空気の吹出し口１７とを備え、前記２台の熱交換器１４の間に、当該２台の熱交換器それぞれの冷媒管と外部からの冷媒連絡管２４とを接続する接続部２５が設けられ、前記２つの吹出し口１７それぞれより吹き出された２つの気流の合流位置が前記２つの吹出し口１７により近くなるように仕向ける合流促進構造を有することを特徴とする。
【００５１】
上記構成によれば、熱交換器１４が長手方向に間隔を空けて並べて２つ配置されているので、室内機１の短手方向の寸法を小さくしたとしても、長手方向の寸法を大きくすることで熱交換に寄与する面積を確保し、省エネ性を改善することができる。しかも、熱交換器１４のサイズを大型化する必要はないので、既存の生産装置を利用できるなどの利点もある。
【００５２】
また、上記構成によれば、２台の熱交換器１４それぞれの冷媒管と冷媒連絡管とを接続する接続部が２台の熱交換器１４の間に設けられているので、２台の熱交換器１４それぞれに均等に冷媒を供給でき、冷媒の流路も短くできる。
【００５３】
ところで、２台の熱交換器１４をこのように配置した場合、２つの吹出し口１７の間（接続部が設けられている２台の熱交換器１４の間）に位置する前面（正面）側は気流が通らないため、この部分に空気の渦が発生し、筐体等の構成部品に露が付く恐れがある。
【００５４】
これに対し、上記構成によれば、２つの吹出し口１７それぞれより吹き出された２つの気流の合流位置が２つの吹出し口１７により近くなるように仕向ける合流促進構造を設けており、２つの空気の吹出し口１７それぞれより吹き出された２つの気流を２つの吹出し口１７の近くで合流させている。これにより、２つの吹出し口１７の間に位置する前面側に形成される気流が通らない部分を極力小さくして、渦の発生を抑制し、露を付き難くできる。
【００５５】
本発明の態様２に係る空気調和機の室内機１は、上記態様１において、前記２つの吹出し口１７それぞれの前記接続部２５側に、気流の吹き出し方向に突出する壁部３２が設けられ、前記合流促進構造として、前記壁部３２それぞれに、気流の吹出し方向に向かうにつれて互いに近づくように傾斜した案内面３２ａが設けられている構成である。
【００５６】
上記構成によれば、２つの吹出し口１７それぞれより吹き出された気流は、２つの吹出し口１７の接続部２５側の縁に形成された壁部３２の、互いに近づく案内面３２ａに沿って流れることで、２つの吹出し口の近くで混じり合い、渦の発生を抑制し露を付き難くできる。
【００５７】
本発明の態様３に係る空気調和機の室内機１は、上記態様２において、前記案内面３２ａそれぞれの延長線の交点と、前記２台の熱交換器１４の風下側の面との距離が、６０ｍｍ以下である構成である。
【００５８】
上記構成によれば、案内面３２ａそれぞれの延長線の交点と、２台の熱交換器１４の風下側の面との距離を６０ｍｍ以下としているので、渦の発生を効果的に抑制して露を付き難くできる。上記距離が６０ｍｍを超えると、渦の発生を効果的に抑制することが難しくなる。
【００５９】
本発明の態様４に係る空気調和機の室内機１は、上記態様２又は３において、前記案内面３２ａは、前記２台の熱交換器１４の内の対応する方の風下側の面との際より傾斜している構成である。
【００６０】
上記構成によれば、熱交換器１４の風下側の面の際より案内面３２ａを傾斜させているので、熱交換器１４を通過した直後の気流を案内面３２ａにて案内することが可能となり、渦の発生を効果的に抑制して露を付き難くできる。
【００６１】
本発明の態様５に係る空気調和機の室内機１は、上記態様１において、前記合流促進構造として、前記２台の熱交換器１４が互いに向き合う方向に傾斜を付けて配置されている構成である。
【００６２】
上記構成によれば、２台の熱交換器１４が互いに向き合う方向に傾斜を付けて配置されているので、２つの吹出し口１７それぞれより吹き出された気流は、自ずと２つの吹出し口の近くで混じり合い、渦の発生を抑制し露を付き難くできる。
【００６３】
本発明の態様６に係る空気調和機の室内機１は、上記態様５において、前記２台の熱交換器１４の傾斜の角度が、当該室内機１の取り付け面に対して５°未満である構成である。
【００６４】
上記構成によれば、２台の熱交換器１４の傾斜の角度を室内機１の取り付け面に対して５°未満としているので、長手方向に沿った送風可能領域を無駄に狭めることなく、渦の発生を抑制して露を付き難くできる。
【００６５】
本発明の態様７に係る空気調和機の室内機１は、上記態様１から６において、前記２台の熱交換器１４それぞれの下方に設けられた２つのドレンパン３４を備え、前記２台の熱交換器１４の間に、前記２つのドレンパン３４にて受け取ったドレン水を機外へ排出するためのドレン排出管３５が接続されている構成である。
【００６６】
上記構成によれば、ドレン排出管３５が２台の熱交換器１４の間に配されているので、室内機１の短手方向の寸法を小さく、かつ長手方向の寸法を大きくしたとしても、２つのドレンパンそれぞれの傾斜を確保することができ、ドレン水を問題無く排出することができる。
【００６７】
本発明の態様８に係る空気調和機の室内機１は、上記態様１から７において、当該室内機１を正面より見た場合の短手方向の寸法をｈ、長手方向の寸法をＷとすると、Ｗ≧４ｈの関係が成立する構成である。
【００６８】
短手方向の寸法ｈと長手方向の寸法ＷがＷ≧４ｈの関係が成立する室内機に採用することが効果的である。
【００６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７０】
１、１Ａ  室内機
２  室内機本体部
３  導風板
１３  送風ファン
１４  熱交換器
１５  第１フィルタ
１６  第２フィルタ
１８  開閉蓋
２３  分岐配管
２４  冷媒連絡管
２５  接続部
２６  ファンモータ
３２  壁部
３２ａ  案内面
３４  ドレンパン
３５  ドレン排出管
【図１】
2019043980.tif 000003
【図２】
2019043980.tif 000004
【図３】
2019043980.tif 000005
【図４】
2019043980.tif 000006
【図５】
2019043980.tif 000007
【図６】
2019043980.tif 000008
【図７】
2019043980.tif 000009
【図８】
2019043980.tif 000010
【図９】
2019043980.tif 000011
【図１０】
2019043980.tif 000012
【国際調査報告】
2019043980.tif 000013
2019043980.tif 000014
2019043980.tif 000015
2019043980.tif 000016